(57)【要約】【課題】屋根等の取付側部位にソーラーパネル等といった載置パネルを傾斜状に設置するべく、運搬や取り扱いが容易なパネル受け金具ユニットを提供する。【解決手段】パネル受け金具ユニット１は、屋根１８等の取付側の各台座７にねじ締めで固定される基板部３０，４１と、基板部に対して傾斜し、ソーラーパネル等の載置パネル４を受けてねじ締めで固定する傾斜板部２６，２７と、をそれぞれ備える低背なパネル受け金具２及び高背なパネル受け金具３で構成され、高背なパネル受け金具３が、基板部４１と傾斜板部２７とを連結する高さ方向の延長板部４２を備えている。【選択図】図１
2017071920.tif 000002
【特許請求の範囲】
【請求項１】
屋根等の取付側の各台座にねじ締めで固定される基板部と、該基板部に対して傾斜し、ソーラーパネル等の載置パネルを受けてねじ締めで固定する傾斜板部と、をそれぞれ備える低背なパネル受け金具及び高背なパネル受け金具で構成され、該高背なパネル受け金具が、該基板部と該傾斜板部とを連結する高さ方向の延長板部を備えたことを特徴とするパネル受け金具ユニット。
【請求項２】
前記低背及び高背なパネル受け金具における前記基板部に対して横方向反対側に前記傾斜板部が配置されたことを特徴とする請求項１記載のパネル受け金具ユニット。
【請求項３】
前記低背なパネル受け金具の前記傾斜板部に、前記載置パネルに対するストッパ部が設けられたことを特徴とする請求項１又は２記載のパネル受け金具ユニット。
【請求項４】
前記高背なパネル受け金具における前記延長板部の板幅方向が、前記傾斜板部の傾斜方向に一致したことを特徴とする請求項１〜３の何れかに記載のパネル受け金具ユニット。
【請求項５】
前記低背及び高背なパネル受け金具における前記傾斜板部に、パネル押え金具締付用のボルトに対する挿通孔及び回り止め部が設けられたことを特徴とする請求項１〜４の何れかに記載のパネル受け金具ユニット。
【請求項６】
前記高背なパネル受け金具の前記傾斜板部に、パネル押え金具締付用のボルトに対する挿通孔が、該傾斜板部の傾斜方向に長く形成されたことを特徴とする請求項１〜５の何れかに記載のパネル受け金具ユニット。
【発明の詳細な説明】
【技術分野】
【０００１】
本発明は、屋根等の取付側部位にソーラーパネルや緑化ベース等といった載置パネルを傾斜状に取り付けるためのパネル受け金具ユニットに関するものである。
【背景技術】
【０００２】
従来、家屋や工場等の折板屋根等にソーラーパネルや緑化ベース等といった載置パネルを取り付けるために、種々のパネル取付金具が提案されている。
【０００３】
例えば、特許文献１（図示せず）には、折板屋根のハゼ部（各金属板の接合部を折り曲げて噛み合わせた部分）に一対の挟持金具をボルト締めで挟み着け、挟持金具の天板に太陽電池モジュールを配置し、天板に上向きに設けたボルトで太陽電池モジュールを締付固定することが記載されている。
【０００４】
また、特許文献２（図示せず）には、ソーラーパネルを斜めに載置するために、対向する傾斜側壁と、各傾斜側壁を連結する低い側壁及び高い側壁と、これら傾斜側壁及び各側壁を繋ぐ底壁とを備える箱型架台を用いることが記載されている。
【０００５】
また、特許文献３（図示せず）には、床面にソーラーパネルを斜めに載置するために、側面視略台形状の背の高い第１ブロックと、側面視略台形状の背の低い第２ブロックとを用いることが記載されている。
【０００６】
これら第１及び第２ブロックは、同じ角度に傾斜した上面を有し、各上面にソーラーパネルを載置し、各ブロックに上向きに設けたボルトでソーラーパネルを締付固定し、各ブロックの自重でソーラーパネルを床面上に移動なく支持する。
【先行技術文献】
【特許文献】
【０００７】
【特許文献１】特開２０１３−３２６７９号公報
【特許文献２】特開２０１３−２２１２８７号公報
【特許文献３】特開２０１４−１２９７１３号公報
【発明の概要】
【発明が解決しようとする課題】
【０００８】
しかしながら、上記特許文献２に記載された箱型架台にあっては、大きくて嵩張るために、運搬時のコストが高くつくという懸念があった。特許文献３に記載された第１及び第２ブロックにあっては、重量が重いために、運搬や取り扱いが大変であるという懸念があった。
【０００９】
本発明は、上記した点に鑑み、屋根等の取付側部位にソーラーパネル等といった載置パネルを傾斜状に設置するべく、運搬や取り扱いが容易なパネル受け金具ユニットを提供することを目的とする。
【課題を解決するための手段】
【００１０】
上記目的を達成するために、本発明の請求項１に係るパネル受け金具ユニットは、屋根等の取付側の台座にねじ締めで固定される基板部と、該基板部に対して傾斜し、ソーラーパネル等の載置パネルを受けてねじ締めで固定する傾斜板部と、をそれぞれ備える低背なパネル受け金具及び高背なパネル受け金具で構成され、該高背なパネル受け金具が、該基板部と該傾斜板部とを連結する高さ方向の延長板部を備えたことを特徴とする。
【００１１】
上記構成により、屋根等の取付側部位において低背及び高背な各パネル受け金具が基板部の延長方向に離間して配置され、各パネル受け金具の基板部がねじ締めで取付側の台座に固定され、ソーラーパネル等の載置パネルの一方及び他方の端部が、低背及び高背な各パネル受け金具の傾斜板部に載置されて、載置パネルが各傾斜板部に沿って傾斜し、その状態で載置パネルが各傾斜板部にねじ締めで固定される。
【００１２】
請求項２に係るパネル受け金具ユニットは、請求項１記載のパネル受け金具ユニットにおいて、前記低背及び高背なパネル受け金具における前記基板部に対して横方向反対側に前記傾斜板部が配置されたことを特徴とする。
【００１３】
上記構成により、基板部が傾斜板部に邪魔されることなく取付側の台座にねじ締めされる。
【００１４】
請求項３に係るパネル受け金具ユニットは、請求項１又は２記載のパネル受け金具ユニットにおいて、前記低背なパネル受け金具の前記傾斜板部に、前記載置パネルに対するストッパ部が設けられたことを特徴とする。
【００１５】
上記構成により、低背なパネル受け金具の傾斜板部に、載置パネルの低い側の端部が載置（仮置き）されつつストッパ部に当接して、載置パネルの滑り落ちが抑止されると共に、載置パネルが傾斜方向に位置決めされる。
【００１６】
請求項４に係るパネル受け金具ユニットは、請求項１〜３の何れかに記載のパネル受け金具ユニットにおいて、前記高背なパネル受け金具における前記延長板部の板幅方向が、前記傾斜板部の傾斜方向に一致したことを特徴とする。
【００１７】
上記構成により、高背なパネル受け金具の傾斜板部に、載置パネルの高い側の端部が載置された際に、載置パネルの高い側の端部が傾斜板部と延長板部との両方でしっかりと支持される。
【００１８】
請求項５に係るパネル受け金具ユニットは、請求項１〜４の何れかに記載のパネル受け金具ユニットにおいて、前記低背及び高背なパネル受け金具における前記傾斜板部に、パネル押え金具締付用のボルトに対する挿通孔及び回り止め部が設けられたことを特徴とする。
【００１９】
上記構成により、各傾斜板部の挿通孔にボルトが挿通され、ボルトにナットを螺合してパネル押え金具が載置パネルに対して締め付けられることで、載置パネルが傾斜板部上に固定される。その際に、回り止め部がボルトの空回りを防いで、ナットの螺合作業がスムーズに行なわれる。
【００２０】
請求項６に係るパネル受け金具ユニットは、請求項１〜５の何れかに記載のパネル受け金具ユニットにおいて、前記高背なパネル受け金具の前記傾斜板部に、パネル押え金具締付用のボルトに対する挿通孔が、該傾斜板部の傾斜方向に長く形成されたことを特徴とする。
【００２１】
上記構成により、載置パネルを各パネル受け金具の傾斜板部に載置して、載置パネルの高い側の端部の位置が傾斜方向に相対的にずれた際に（載置パネル又はパネル受け金具がずれた際に）、挿通孔の長手方向（位置ずれ方向）にボルトを移動させることで、その位置ずれが吸収され、載置パネルがパネル押え金具で傾斜板部にしっかりと締付固定される。
【発明の効果】
【００２２】
請求項１記載の発明によれば、低背及び高背な各パネル受け金具を小型化且つ軽量化することができるので、屋根等の取付側部位にソーラーパネル等の載置パネルを傾斜状に設置するべく、パネル受け金具ユニットの運搬や取り扱いを容易に且つ低コストで行なうことができる。
【００２３】
請求項２記載の発明によれば、傾斜板部で邪魔されることなく基板部を取付側の台座に作業性良くねじ締め固定することができる。
【００２４】
請求項３記載の発明によれば、載置パネルをストッパ部に当接させて傾斜板部上に仮置きすることで、載置パネルの取付作業性を高めると共に、載置パネルの傾斜方向の位置決めを行なうことができる。
【００２５】
請求項４記載の発明によれば、高背なパネル受け金具の傾斜板部に載置パネルを載置した際に、載置パネルを傾斜板部と延長板部との両方でしっかりと支持することができる。
【００２６】
請求項５記載の発明によれば、ボルトの空回りを抑制して、パネル押え金具で載置パネルを傾斜板部に作業性良く容易に固定することができる。
【００２７】
請求項６記載の発明によれば、載置パネルの傾斜方向の相対的な位置ずれに合わせて、挿通孔の長手方向にボルトを移動させることで、その位置ずれを吸収して、載置パネルをパネル押え金具で傾斜板部にしっかりと締付固定することができる。
【図面の簡単な説明】
【００２８】
【図１】本発明のパネル受け金具ユニットを含むパネル取付金具ユニットとそれを用いたパネル取付構造の一実施形態を示す斜視図である。
【図２】同じくパネル取付構造の側面図である。
【図３】パネル取付金具ユニットを取り付ける一適用例としてのハゼ式折板屋根を示す側面図である。
【図４】低背なパネル受け金具の一実施形態を示す、（ａ）は左方から見た斜視図、（ｂ）は右方から見た斜視図、（ｃ）は右方から見た側面図である。
【図５】高背なパネル受け金具の一実施形態を示す、（ａ）は左方から見た斜視図、（ｂ）は後方から見た背面図、（ｃ）は右方から見た側面図である。
【発明を実施するための形態】
【００２９】
図１〜図５は、本発明のパネル受け金具ユニットと、それを含むパネル取付金具ユニット及びそれを用いたパネル取付構造のそれぞれ一実施形態を示すものである。
【００３０】
図１，図２に示す如く、パネル受け金具ユニット１は、平面視矩形状のソーラーパネルフレーム（以下、パネルフレームと称する）４の前側の辺部５を受ける左右一対の低背なパネル受け金具２と、パネルフレーム４の後側の辺部６を受ける左右一対の高背なパネル受け金具３とで構成されている。
【００３１】
パネルフレーム４は不図示のソーラーパネル（載置パネル）の一部すなわち枠部であり、前後の辺部５，６は左右の辺部５５で連結されている。低背な各パネル受け金具２は同一の大きさ・形状のものを共通で使用し、高背な各パネル受け金具３は同一の大きさ・形状のものを共通で使用している。なお、明細書で前後左右の方向は説明の便宜上のものであり、パネルフレーム４を低く配置する側を前、高く配置する側を後と規定し、パネルフレーム４を後から見て右、左を規定している。
【００３２】
低背及び高背の各パネル受け金具２，３は、各台座金具（台座ないしハゼグリップ）７の上に配置・固定されている。そして、各パネル受け金具２，３の上に各パネル押え金具（以下、押え金具と称する）９を配置し、各押え金具９をボルト１０とナット１１で各パネル受け金具２，３に向けて下向きに締め付けて、各パネル受け金具２，３と各押え金具９との間にパネルフレーム４の前後の各辺部５，６を挟持・固定している。各台座金具７及び各押え金具９は既存のものである。前後の各押え金具９は共通のものを前後対称に配置している。
【００３３】
各台座金具７は、左右一対の挟持金具１２，１３と、一対の挟持金具１２，１３を接近方向に移動させる締付ボルト１４及びナット１５と、一対の挟持金具１２，１３の底側に内向きに突出した挟持部１２ａ，１３ａと、挟持金具１２，１３の不図示の天板部に垂直に立設されたボルト１６とそれに螺合するナット１７とを備えている。各台座金具７は、例えば前記特許文献１に記載されたハゼ掴み金具に類似している。
【００３４】
図３に、ハゼ式折板屋根（屋根）１８の一例を示す如く、折板１９の頂部１９ａに設けられたハゼ部２０に、図１の各台座金具７の挟持部１２ａ，１３ａが左右方向から挟着される。左右一対の各台座金具７の間隔は、図１のパネルフレーム４の前後の辺部５，６の長さ及び各ハゼ部２０のピッチＰ等に応じて適宜設定される。ハゼ部２０の並び方向に沿って図１のパネルフレーム４の前後の辺部５，６が配置される。
【００３５】
なお、台座金具７は、ハゼ式折板屋根１８用に限定されるものではなく、例えば、不図示の重ね式折板屋根や嵌合式折板屋根等を含む既存の各種屋根や、地面上等に設置した不図示の取付フレーム等といった各種の取付側部材に取り付けるように形成可能である。要は、各パネル受け金具２，３はこれら台座金具を介して各種の取付側部材に取付可能である。
【００３６】
図１，図２の如く、各押え金具９は、横板部２１と、横板部２１の一端に垂下された下向きの縦板部２２と、横板部２１の他端に起立された上向きの縦板部２３と、上向きの縦板部２３の上端に設けられた鍔部２４とを備えたものである。横板部２１から上下の各縦板部２２，２４にかけて補強用の膨出リブ２５が形成されている。
【００３７】
各横板部２１は不図示のボルト挿通孔を有して、前後の各パネル受け金具２，３のボルト（パネル押え金具締付用のボルト）１０に貫通され、各ボルト１０にナット１１が上方から螺合される。下向きの各縦板部２２の下端２２ａは、各パネル受け金具２，３の傾斜板部２６，２７の上面に当接する。上向きの各縦板部２３にパネルフレール４の前後の端面５ａ，６ａが近接ないし接触し、上側の各鍔部２４の下面がパネルフレーム４の前後の上面５ｂ，６ｂに押接する。
【００３８】
低背な各パネル受け金具２と、各台座金具７と、各押え金具９とで、前側のパネル取付金具セット２８が構成され、高背な各パネル受け金具３と、各台座金具７と、各押え金具９とで、後側のパネル取付金具セット２９が構成され、前後の各パネル取付金具セット２８，２９でパネル取付金具ユニットが構成される。
【００３９】
図４（ａ）〜（ｃ）に示す如く、低背なパネル受け金具２は、水平な基板部（底板部）３０と、基板部３０に対して斜め上向きに傾斜した傾斜板部２６と、基板部３０と傾斜板部２６とを連結する略湾曲状の側板部（縦板部ないし連結板部）３１と、基板部３０の前後に下向きの段差部３２を介して続く水平な各端部３３と、傾斜板部２６の前後に下向きの段差部３４を介して続く傾斜状（傾斜板部２６と同じ傾斜角）の各端部３５と、水平及び傾斜状の各端部３３，３５を結ぶ段差部３６とを備えている。
【００４０】
基板部３０に対して傾斜板部２６は、基板部３０の上方ではなく側方（横方向）に（基板部３０を右側とすれば傾斜板部２６は左側に）段違いに配置されている。基板部３０と側板部３１と傾斜板部２６とで断面略Ｚ字形状をなしている。側板部３１の板幅方向は傾斜板部２６の傾斜方向に一致している。低背なパネル受け金具２のこれら各部分２６，３０〜３６は、例えば一枚の金属板をプレス成型することで一体に形成される。パネル受け金具２はプレス成型品に限られるものではなく、鋳造品等であってもよい。
【００４１】
基板部３０のほぼ中央と傾斜板部２６のほぼ中央とに、それぞれ円形のボルト挿通孔３７，３８が設けられている。傾斜板部２６のボルト挿通孔３８の中心軸線は傾斜板部２６の上面及び下面と直角に交差している。各ボルト挿通孔３７，３８の内径はほぼ同一である。
【００４２】
ボルト挿通孔３８の後方に隣接して、傾斜板部２６の高い側の位置に、パネルフレーム４（図２）の前端面５ａを受け止めるストッパ片（ストッパ部）が、傾斜板部２６の上面と直角に起立して設けられている。ストッパ片３９は、例えば傾斜板部２６の一部をプレス成型で上向きに打ち抜いて（切り起こして）形成される。
【００４３】
また、傾斜板部２６のボルト挿通孔３８の左右に隣接（近接）して、ボルト挿通孔３８と同じ高さの位置に、一対のボルト回り止め片（回り止め部）４０が下向きに（傾斜板部２６の下面よりも下方まで）突出して設けられている。この回り止め片４０は、例えば傾斜板部２６の一部をプレス成型で下向きに切り下げて形成される。ボルト挿通孔３８に下方から上向きにボルト１０（図２）が挿通され、ボルト１０の六角形の不図示の頭部が一対の回り止め片４０の間に位置（近接）して回り止めされる。
【００４４】
図５（ａ）〜（ｃ）に示す如く、高背なパネル受け金具３は、下側の水平な基板部（底板部）４１と、基板部４１に対して斜め上向きに傾斜した上側の傾斜板部２７と、基板部４１と傾斜板部２７とを連結する垂直な起立方向の延長板部（連結板部）４２と、基板部４１の前後に下向きの段差部４３を介して続く各端部４４と、傾斜板部２７の前後に下向きの段差部４５を介して傾斜板部２７と同じ傾斜角で続く各端部４６と、延長板部４２の前後に段差部４７を介して続く垂直な各端部４８とを備えている。
【００４５】
基板部４１と延長板部４２と傾斜板部２７とは上下の屈曲部４９，５０を介して一体に続いている。基板部４１と延長板部４２と傾斜板部２７との前後の各端部４４，４８，４６は上下の屈曲部４９ａ，５０ａを介して一体に続いている。各段差部４３，４７，４５も同様である。
【００４６】
傾斜板部２７は基板部４１の真上ではなく、基板部４１に対して側方（基板部４１を左側とすれば傾斜板部２７は右側）に配置されている。基板部４１と延長板部４２と傾斜板部２７とで断面略Ｚ字形状をなしている。また、延長板部４２の板幅方向は傾斜板部２７の傾斜方向に一致している。高背なパネル受け金具３のこれら各部分２７，４１〜５０は、例えば一枚の金属板をプレス成型することで一体に形成される。パネル受け金具３はプレス成型品に限られるものではない。
【００４７】
基板部４１のほぼ中央と傾斜板部２７のほぼ中央とに、それぞれボルト挿通孔５１，５２が設けられている。基板部４１のボルト挿通孔５１は円孔である。傾斜板部２７のボルト挿通孔５２は、傾斜板部２７の傾斜方向（前後方向）に沿った長孔であり、長孔５２の仮想中心軸線は傾斜板部２７の上面及び下面に対して直交している。基板部４１のボルト挿通孔５１の内径と傾斜板部２７のボルト挿通孔５２の短径はほぼ同一である。
【００４８】
傾斜板部２７に、低背側のパネル受け金具２の傾斜板部２６におけるようなストッパ片３９は設けられていない。傾斜板部２７のボルト挿通孔５２の左右に隣接（近接）して、同じ高さの位置に、一対のボルト回り止め片（回り止め部）５３が下向きに（傾斜板部２７の下面よりも下方まで）突出して設けられている。
【００４９】
この回り止め片５３は、例えば傾斜板部２７の一部をプレス成型で下向きに切り下げて形成される。ボルト挿通孔５２に下方から上向きにボルト１０（図２）が挿通され、ボルト１０の六角形の不図示の頭部が一対の回り止め片５３の間に位置（近接）して回り止めされる。
【００５０】
図２の如く、低背なパネル受け金具２の傾斜板部２６の上面と高背なパネル受け金具３の傾斜板部２７の上面とは同じ角度で前下がり（後上がり）に傾斜している。低背なパネル受け金具２の傾斜板部２６の後半側（高さの高い側）の上面、すなわちボルト挿通孔３８（図４）に挿通されたボルト１０やその後方のストッパ片３９よりも後方における上面にパネルフレーム４の前辺部（前端部）５の下面（底面）５ｂ１が接触して支持される。パネルフレーム４の前辺部５の前端面５ａの下部がストッパ片３９の後面で受け止められる。
【００５１】
また、高背なパネル受け金具３の傾斜板部２７における高さの低い前半側の上面、すなわちボルト挿通孔５２（図５）に挿通されたボルト１０よりも前方の上面にパネルフレーム４の後辺部（後端部）６の下面（底面）６ｂ１が接触する。
【００５２】
図４の低背なパネル受け金具２の水平な基板部３０のボルト挿通孔３７（図４）には、図２の台座金具７の上向きのボルト１６が挿通され、ボルト１６に上方からナット１７を螺合して、基板部３０が台座金具７の水平な天壁に締付固定される。
【００５３】
また、低背なパネル受け金具２の傾斜板部２６のボルト挿通孔３８（図４）に、下方からボルト１０が上向きに挿通され、ボルト１０に螺合された図２のナット５４でボルト１０が傾斜板部２６に締付固定される。ボルト１０は図４の回り止め片４０で回り止めされている。ボルト１０の頭部とナット５４との間に傾斜板部２６が挟持され、ボルト１０の雄ねじ軸が、パネルフレーム４の上下方向の厚み程度の長さで上向きに突出する。
【００５４】
その状態で、あるいはボルト１０を挿通する前に、パネルフレーム４が低背及び高背な各パネル受け金具２，３の傾斜板部２６，２７の上面に載せられて仮置きされ、パネルフレーム４の前端面５ａがストッパ片３９に突き当たることで、パネルフレーム４の前端位置が規定される。
【００５５】
例えばこの状態で、ボルト１０に略クランク状の押え金具９の不図示のボルト挿通孔が挿通され、ボルト１０に上方からナット１１が螺合され、ナット１１で押え金具９が仮締めされる。ナット１１の本締めは、高背なパネル受け金具３において押え金具９を同様に仮締めした後で行なうことが好ましい。
【００５６】
例えば、ボルト１０のねじ軸に沿ってコイルばねを外挿した不図示のばね入りボルトを用いれば、予め前後の各ボルト１０に前後の各押え金具９をコイルばねの付勢力でパネルフレーム４の厚みよりも高く浮かした状態でセットし、各ナット１１を各ボルト１０に仮締めした状態で、前後の各傾斜板部２６，２７と前後の各押え金具９との間にパネルフレーム４を側方（左右方向）から挿入セットすることが可能である。
【００５７】
図２の如く、高背なパネル受け金具３の延長板部（縦板部）４２は、低背なパネル受け金具２の側板部（縦板部）３１を上向きに延長したものであり、両パネル受け金具２，３のそれ以外の部分（基板部３０，４１や傾斜板部２６，２７等）の形状はほぼ共通化されている。両パネル受け金具２，３に対応する各台座金具７や押え金具９も共通のものであり、押え金具９は両パネル受け金具２，３に対応して前後反転して使用される。
【００５８】
低背なパネル受け金具２の側板部３１と高背なパネル受け金具３の延長板部４２とは、例えばパネルフレーム４の左右の辺部５５と平行に位置する。両パネル受け金具２，３の各基板部３０，４１は左向きに突出し、同じく各傾斜板部２６，２７は基板部３０，４１の突出方向とは逆に右向きに突出している。
【００５９】
これにより、各基板部３０，４１を各ナット１７で各台座金具７のボルト１６に締め付ける作業が、各傾斜板部２６，２７に邪魔されることなく、容易に行われる。また、各傾斜板部２６，２７のボルト挿通孔３８，５２にボルト１０を下方から上向きに挿通する作業が、各基板部３０，４１に邪魔されることなく、容易に行なわれる。
【００６０】
高背なパネル受け金具３の傾斜板部２７のボルト挿通孔５２（図５）は、傾斜板部２７の傾斜方向に沿った長孔になっているので、例えば、パネルフレーム４の前端面５ａを低背なパネル受け金具２の傾斜板部２６のストッパ片３９に当接した後で、傾斜板部２７のボルト挿通孔５２にボルト１０を上向きに挿通し、ボルト１０に押え金具９の不図示のボルト挿通孔を挿通し、ボルト１０にナット１１を螺合させ、ナット１１で押え金具９をパネルフレーム４に向けて締め付ける際に、傾斜板部２７のボルト挿通孔５２の長手方向に沿ってボルト１０の位置を前後に調整して、パネルフレーム４に対する押え金具９の前後方向の相対的な位置ずれを吸収することができる。
【００６１】
これにより、パネルフレーム４及び／又は前後のパネル受け金具２，３の前後方向の位置ずれを吸収して、パネルフレーム４をパネル受け金具２，３（特にパネル受け金具３）にしっかりと固定することができる。
【００６２】
また、高背なパネル受け金具３の延長板部２７の板幅方向が同じく傾斜板部２７の傾斜方向に一致しているので、図１，図２の如くパネルフレーム４の後辺部（後端部）６を高背なパネル受け金具３の傾斜板部２７に載せた際に、延長板部４２がパネルフレーム４の後辺部６を同時にしっかりと支えると共に、傾斜板部２７の下向きの撓みを抑制する。
【００６３】
このことは、低背なパネル受け金具２においても同様である。すなわち、低背なパネル受け金具２の側板部３１の板幅方向が同じく傾斜板部２６の傾斜方向に一致しているので、図１，図２の如くパネルフレーム４の前辺部（前端部）５を低背なパネル受け金具２の傾斜板部２６に載せた際に、側板部３１がパネルフレーム４の前辺部５を同時にしっかりと支えると共に、傾斜板部２６の下向きに撓みを抑制する。
【００６４】
なお、上記実施形態においては、図１の如く、低背及び高背なパネル受け金具２，３を二つずつ使用したが、これらパネル受け金具２，３の使用数量は、パネルフレーム４の左右方向の長さ等に応じて適宜設定可能である。
【００６５】
本実施形態の前後の各パネル受け金具２，３は、例えば、略水平な屋根１８（図３）における水勾配（２〜３°程度）のある北側の屋根にソーラーパネル（パネルフレーム４）を設置する場合に、ソーラーパネル（パネルフレーム４）を南向きに起こすために有用である。各パネル受け金具２，３の各傾斜板部２６，２７の傾斜角度は１０°程度に規定されている。
【００６６】
また、水平な屋根や地面上の不図示の取付フレームに対して、ソーラーパネル（パネルフレーム４）を太陽に向けて傾斜状に設置するためにも有用である。例えば、高背なパネル受け金具３の延長板部４２をさらに上向きに延長形成し、それに伴って各パネル受け金具２，３の傾斜板部２６，２７の傾斜角度を増加させることで、あるいは逆に、高背なパネル受け金具３の延長板部４２の高さを減少させ、それに伴って各パネル受け金具２，３の傾斜板部２６，２７の傾斜角度を減少させることで、種々の設置場所に対応することができる。
【産業上の利用可能性】
【００６７】
本発明のパネル受け金具ユニットは、屋根等の取付側部位にソーラーパネル等といった載置パネルを傾斜状に設置する際に、パネル受け金具ユニットの運搬や取り扱いを容易にするために利用することができる。
【符号の説明】
【００６８】
１          パネル受け金具ユニット
２          低背なパネル受け金具
３          高背なパネル受け金具
４          パネルフレーム（載置パネル）
７          台座金具（台座）
９          パネル押え金具
１０        ボルト
１８        ハゼ式折板屋根（屋根）
２６，２７  傾斜板部
３０，４１  基板部
３８，５２  ボルト挿通孔
３９        ストッパ片（ストッパ部）
４０，５３  回り止め片（回り止め部）
４２        延長板部
【図１】
2017071920.tif 000003
【図２】
2017071920.tif 000004
【図３】
2017071920.tif 000005
【図４】
2017071920.tif 000006
【図５】
2017071920.tif 000007